(57)【要約】  【課題】操作レバーに搭載された各種スイッチの操作機能を任意に変更して、スイッチ操作の利便性を向上させる。  【解決手段】キャビン５内にモニタ装置７が設置され、且つ、作業機４を操作するための操作レバー８，９に各種スイッチ１１〜１６を搭載された建設機械の操作スイッチ制御装置において、モニタ装置７の画面上に、前記スイッチ１１〜１６の操作機能を複数種類表示する機能表示部１７と、該機能表示部１７に表示された複数種類の操作機能のうちの１つを選択する機能選択部１８と、該機能選択部１８で選択された操作機能を前記スイッチ１１〜１６にコントローラ２０を介して付与する機能付与部１９とが具備されている。【選択図】図３
2012096732.tif 000002
【特許請求の範囲】
【請求項１】
キャビン内にモニタ装置が設置され、且つ、作業機を操作するための操作レバーに各種スイッチが搭載された建設機械の操作スイッチ制御装置において、
前記モニタ装置の画面上に、前記スイッチの操作機能を複数種類表示する機能表示部と、該機能表示部に表示された複数種類の操作機能のうちの１つを選択する機能選択部と、該機能選択部で選択された操作機能を前記各種スイッチにコントローラを介して付与する機能付与部とが具備されていることを特徴とする建設機械の操作スイッチ制御装置。
【請求項２】
上記操作レバーは運転席の左右両側に設置され、且つ、各操作レバーに上記各種スイッチが複数搭載されていることを特徴とする請求項１記載の建設機械の操作スイッチ制御装置。
【発明の詳細な説明】
【技術分野】
【０００１】
本発明は建設機械の操作スイッチ制御装置に関するものであり、特に、作業機用の操作レバーに各種スイッチが搭載された建設機械の操作スイッチ制御装置に関するものである。
【背景技術】
【０００２】
従来、バケット等の作業機を備えた建設機械では、該作業機を操作するための操作レバーは、キャビン内の運転席近傍に設置されている。又、操作レバーにはホーン、アイドル、カメラ切替えなどの機能を設定操作するための各種スイッチが搭載され、使用者が操作レバーから手を放さなくても、建設機械の機器類のスイッチ操作を行えるように構成されている（例えば、特許文献１参照）。
【特許文献１】特開平２００５−１５５２７４号公報
【発明の開示】
【発明が解決しようとする課題】
【０００３】
上記のように従来の建設機械においては、操作レバーから手を放さなくても該操作レバーに搭載したスイッチにより各種機器類を手元で操作することができる。しかし、これらスイッチの操作機能及び位置は製造元により予め決定されている。
【０００４】
そのため、使用者は好みに応じて前記スイッチの操作機能及び位置を変更することができず、スイッチ操作の利便性が低下するという問題を有していた。
【０００５】
そこで、操作レバーに搭載された各種スイッチの操作機能を任意に変更して、スイッチ操作の利便性を向上させるために解決すべき技術的課題が生じてくるのであり、本発明はこの課題を解決することを目的とする。
【課題を解決するための手段】
【０００６】
本発明は上記の目的を達成するために提案されたものであり、請求項１記載の発明は、キャビン内にモニタ装置が設置され、且つ、作業機を操作するための操作レバーに各種スイッチを搭載された建設機械の操作スイッチ制御装置において、前記モニタ装置の画面上に、前記スイッチの操作機能を複数種類表示する機能表示部と、該機能表示部に表示された複数種類の操作機能のうちの１つを選択する機能選択部と、該機能選択部で選択された操作機能を前記スイッチにコントローラを介して付与する機能付与部とが具備されている建設機械の操作スイッチ制御装置を提供する。
【０００７】
この構成によれば、上記スイッチの操作機能を変更する場合は、モニタ画面に表示された複数種類の操作機能から希望の操作機能を１つ選択して、機能付与部により画面入力を実行する。これにより、前記選択した操作機能が前記スイッチにコントローラを介して付与される。
【０００８】
請求項２記載の発明は、上記操作レバーは運転席の左右両側に設置され、且つ、各操作レバーに上記各種スイッチが複数搭載されていることを特徴とする請求項１記載の建設機械の操作スイッチ制御装置を提供する。
【０００９】
この構成によれば、左右両側の各操作レバーに複数種類の各種スイッチが夫々搭載されているので、各種スイッチの種類が多くなるに応じて、変更可能なスイッチ機能の組み合わせの数も多くなる。
【発明の効果】
【００１０】
請求項１記載の発明によれば、操作レバーに搭載した各種スイッチの操作機能は、モニタ装置の画面上にて任意に切り換えられるので、使用者は好みに応じて前記スイッチの操作機能の変更、即ち、各種スイッチの実質的なレイアウトを変更でき、スイッチ操作の利便性が向上する効果がある。
【００１１】
請求項２記載の発明は、各種スイッチ機能を変更できる組み合わせの数が増加するので、請求項１記載の発明の効果に加えて、各種スイッチ機能のレイアウトの自由度を一層増大させることができる。
【発明を実施するための最良の形態】
【００１２】
本発明は、操作レバーに搭載した各種スイッチの操作機能を任意に変更して、スイッチ操作の利便性を向上させるという目的を達成するために、キャビン内にモニタ装置が設置され、且つ、作業機を操作するための操作レバーに各種スイッチを搭載された建設機械の操作スイッチ制御装置において、前記モニタ装置の画面上に、前記スイッチの操作機能を複数種類表示する機能表示部と、該機能表示部に表示された複数種類の操作機能のうちの１つを選択する機能選択部と、該機能選択部で選択された操作機能を前記スイッチにコントローラを介して付与する機能付与部とが具備されていることにより実現した。
【実施例】
【００１３】
以下、本発明に係る好適な一実施例を図１乃至図４に従って説明する。図１は本実施例に係る建設機械としての油圧ショベルを示す側面図、図２は操作スイッチ制御装置が設置されたキャビン内を示す斜視図、図３はキャビン内に配置したモニタ装置の画面を示す正面図、図４は操作スイッチ制御装置の構成例を示すブロック図である。
【００１４】
図１において、油圧ショベル１は、下部走行体２上に上部旋回体３が旋回自在に載置されている。又、上部旋回体３の前方中央部にはブーム、アーム及びバケット等からなる作業機４が回動可能に取り付けられている。更に、上部旋回体３の前方一側部にはキャビン５が設けられている。
【００１５】
図２に示すように、前記キャビン５内には運転席６が設置され、該運転席６の前方には、液晶ディスプレイ等から成るモニタ装置７が設けられている。更に、運転席６の左右両側には、作業機４を操作するための左操作レバー８と右操作レバー９が配設されている。尚、図２中の符号１０は運転席６の前方に設けられた走行レバーである。
【００１６】
図３に示すように、左操作レバー８には第１スイッチ１１、第２スイッチ１２及び第３スイッチ１３が設置され、また、右操作レバー９には、第４スイッチ１４、第５スイッチ１５及び第６スイッチ１６が設置されている。
【００１７】
本実施例に係るモニタ装置７は、機器類の作業状況や設定状態を画面表示するほかに、必要に応じて様々な情報を画面表示する。特に、モニタ装置７のサービス画面上には、図３に示すように、機能表示部１７、機能選択部１８及び選択決定部（機能付与部）１９が表示設定されている。
【００１８】
前記機能表示部１７は各種スイッチ１１〜１６の操作機能を複数種類表示し、図示例では、アイドル機能、カメラ切替え機能、ワイパー機能、ウォッシャ機能、ミュート機能、ライト機能及びホーン機能の６種類を表示する。
【００１９】
また、前記機能選択部１８は、機能表示部１７で表示された６種類の操作機能のうちの
１つを、たとえば画面上のポインタ（図中の矢印マーク）等で指定して選択する。さらに、選択決定部１９は、図４に示すコントローラ２０を介して、機能選択部１８で選択された操作機能の１つを前記スイッチ１１〜１６の何れかに付与する。
【００２０】
コントローラ２０には、図４に示すように、モニタ装置７、左操作レバー８及び右操作レバー９が接続され、該モニタ装置７、左操作レバー８及び右操作レバー９の動作は、全てコントローラ２０により統括的に制御されている。
【００２１】
例えば、モニタ装置７のサービス画面上に表示設定された機能表示部１７、機能選択部１８及び選択決定部１９におけるスイッチ入力（画面入力）は、コントローラ２０を介して自動的に出力制御され、これにより、各種スイッチ１１〜１６の操作機能を任意に選択して設定変更できるように構成されている。
【００２２】
次に、本発明に係る操作スイッチ制御装置によるスイッチ機能の選択変更について説明する。図３に示すように、モニタ装置７のサービス画面の左側には第１スイッチ１１、第２スイッチ１２及び第３スイッチ１３を搭載した左操作レバー８が表示され、且つ、左操作レバー８の右側には、第４スイッチ１４、第５スイッチ１５及び第６スイッチ１６を搭載した右操作レバー９が表示されている。
【００２３】
一方、モニタ装置７のサービス画面の右側には、選択決定ボタンからなる選択決定部１９が表示されていると共に、該選択決定部１９の下方には、各種スイッチ１１〜１６に付与される操作機能を選択するための機能選択部１８及び機能表示部１７、具体的にはアイドルボタン、カメラ切替えボタン、ワイパーボタン、ウォッシャボタン、ミュートボタン、ライトボタン及びホーンボタンが表示されている。
【００２４】
本実施例によるモニタ装置７では、各種スイッチ１１〜１６のうちの１つを指定したのち、サービス画面上の機能選択部１８において複数種類の操作機能うちの１つを選択して、それに対応する選択決定ボタンを入力することで、該選択した操作機能が当該スイッチ（スイッチ機能変更対象）１１〜１６に付与される。従って、使用者は、好みにより頻繁に使用するスイッチ機能を当該スイッチ１１〜１６に付与することができる。
【００２５】
例えば、左操作レバー８の第１スイッチ１１をカメラ用スイッチからワイパー用スイッチに切り換える場合は、モニタ装置７のサービス画面上で第１スイッチ１１を指定したのちに、機能表示部１７のワイパーボタンを指定して、選択決定部１９にて入力操作すればよい。
【００２６】
また、右操作レバー９の第４スイッチ１４をライト用スイッチに変更する場合は、上記と同様に、モニタ装置７のサービス画面上で第４スイッチ１４を指定したのちに、機能表示部１７のライトボタンを指定して、選択決定部１９を入力操作すればよい。
【００２７】
以上の如く本発明によると、各種スイッチの操作機能を変更する場合は、変更したいスイッチの１つを指定した後に、モニタ画面に表示された複数種類の操作機能から希望の操作機能を選択して、機能選択決定部を入力操作すればよい。これにより、コントローラを介して、変更対象であるスイッチの１つに希望する種類の操作機能が自動的に付与される。
【００２８】
斯くして、各種スイッチの操作機能は、モニタ画面上にて任意に切り換えられるので、使用者は好みに応じてスイッチの操作機能の変更、即ち、実質的なスイッチ機能の配置変更を容易に実行でき、以て、スイッチ操作の利便性が従来例に比して著しく向上する。
【００２９】
また、本実施例では、操作レバーは運転席の左右両側に設置され、且つ、各操作レバーに各種スイッチが複数搭載されている。従って、各種スイッチの種類が多くなるに応じて、変更可能なスイッチ機能の組み合わせの数も多くなるので、各種スイッチ機能の組み合わせの種類並びにレイアウトの設計自由度が一層増大する。
【００３０】
尚、本発明は、本発明の精神を逸脱しない限り種々の改変を為すことができ、そして、本発明が該改変されたものに及ぶことは当然である。
【図面の簡単な説明】
【００３１】
【図１】本発明の一実施例を示し、建設機械としての油圧ショベルの側面図。
【図２】一実施例に係る操作スイッチ制御装置が設置されたキャビン内を示す斜視図。
【図３】一実施例に係るキャビン内に配置したモニタ装置の画面を示す正面図。
【図４】一実施例に係る操作スイッチ制御装置の構成例を示すブロック図。
【符号の説明】
【００３２】
１      油圧ショベル
４      作業機
５      キャビン
６      運転席
７      モニタ装置
８      左操作レバー
９      右操作レバー
１１〜１６各種スイッチ（レバースイッチ）
１７      機能表示部
１８      機能選択部
１９      選択決定部（機能付与部）
２０      コントローラ
【図１】
2012096732.tif 000003
【図２】
2012096732.tif 000004
【図３】
2012096732.tif 000005
【図４】
2012096732.tif 000006